(57)【要約】【課題】  本体ユニットの防水性を高めることができる電子機器を提供する。【解決手段】  電子機器の一例であるポータブルコンピュータは、キーボードが配置される底壁１５を有する筐体１０と、筐体１０の内部に収容された回路基板１３とを有している。筐体１０の底壁１５に開口部４５が形成されている。この開口部４５は、回路基板１３の一部、例えばキーボードとの接続をなすコネクタ４７を露出させている。底壁１５とキーボードとの間に防水シートとして機能するシート５０が配置されている。シート５０は、開口部４５を上方から覆っている。このシート５０には、コネクタ４７に接続されるケーブルを通すためのケーブル挿通部５１が形成されている。【選択図】      図２
2006099550.tif 000002
【特許請求の範囲】
【請求項１】
ケーブルを有したキーボードが載置されるキーボード載置部を有する筐体と、
前記筐体の内部に収容された回路基板と、
前記キーボード載置部の一部をなすとともに前記ケーブルを前記回路基板に電気的接続するために前記ケーブルが挿通される開口部が設けられた底壁と、
前記底壁と前記キーボードとの間に配置されて前記開口部を上方から覆いかつ前記ケーブルが挿通されるケーブル挿通部を有するシートと、
を具備したことを特徴とする電子機器。
【請求項２】
請求項１に記載された電子機器であって、
前記ケーブル挿通部に、吸水性の材料からなる吸水部材が設けられていることを特徴とする電子機器。
【請求項３】
請求項１に記載された電子機器であって、
前記底壁上面は、該筐体を水平面上に載置した状態において、該底壁上面の前部が後部上面よりも低くなるよう傾斜した形状をなしていることを特徴とする電子機器。
【請求項４】
請求項１に記載された電子機器であって、
前記シートの面積が前記キーボードの面積よりも大であることを特徴とする電子機器。
【請求項５】
請求項１に記載された電子機器であって、
前記シートの縁部に、該シートの一部を上方に折曲げてなる立上がり壁が形成されていることを特徴とする電子機器。
【請求項６】
請求項１に記載された電子機器であって、
前記シートの縁部に、吸水性の材料からなる吸水部材が設けられていることを特徴とする電子機器。
【請求項７】
係止部が設けられたキーボードが載置されるキーボード載置部を有する筐体と、
前記キーボード載置部に設けられ、前記キーボードの前記係止部が挿入されかつ前記係止部を係止可能な受け部を有する孔部と、
前記筐体の内部において前記孔部を塞ぐ止水部と、
を具備したことを特徴とする電子機器。
【請求項８】
請求項７に記載された電子機器であって、
前記キーボード載置部の底壁上面は、該筐体を水平面上に載置した状態において、該底壁上面の前部が後部よりも低くなるよう傾斜した形状をなしていることを特徴とする電子機器。
【請求項９】
請求項７に記載された電子機器であって、
前記底壁と前記キーボードとの間にシートが配置されていることを特徴とする電子機器。
【請求項１０】
請求項７に記載された電子機器であって、
前記底壁が導電性材料によって形成されていることを特徴とする電子機器。
【請求項１１】
請求項１０に記載された電子機器であって、
前記筐体内部に回路基板が内蔵され、前記キーボード載置部の底壁内面と前記回路基板との間に電気絶縁性の材料からなるインシュレータが配置されていることを特徴とする電子機器。
【請求項１２】
請求項１１に記載された電子機器であって、
前記インシュレータの一部に前記止水部が形成されていることを特徴とする電子機器。
【請求項１３】
請求項１２に記載された電子機器であって、
前記インシュレータの上面が両面接着テープによって前記底壁の下面に固定されるとともに、該接着テープによって前記止水部の上面が前記孔部の縁部に接着されることを特徴とする電子機器。
【発明の詳細な説明】
【技術分野】
【０００１】
本発明は、本体ユニットの上面にキーボードを有するポータブルコンピュータ等の電子機器に関する。
【背景技術】
【０００２】
ポータブルコンピュータ等の電子機器の本体ユニットは、回路基板等を収納する筐体を有し、この筐体の上部にキーボードが配置されている。また、キーボード上に誤って水などの液を落としたときなどの防水対策として、筐体の内部に排水手段を設けたものが知られている。（例えば下記特許文献１参照）
特許文献１に記載されている排水手段は、キーボードの基板に第１の排水ホールが形成され、さらにキーボードの基板の下面に第２の排水ホールを有するガイドチャンネルが形成されている。さらにこの第２の排水ホールの下方に、蓋を有する第３の排出ホールが形成されている。
【特許文献１】米国特許第６，６１０，９４４号
【発明の開示】
【発明が解決しようとする課題】
【０００３】
前記従来の排水手段では、キーボードや筐体に排水専用の複数の排水ホールを形成しているため、その分、キーボードや筐体の構成が複雑となり、成形用の金型も複雑となる。また、排水ホールの位置に関して格別な配慮が必要であるなど、設計の自由度が制限されるなどの問題がある。
【０００４】
したがって本発明は、筐体の上部にキーボードを有する電子機器において、キーボード等の構造を複雑化させずに防水性を高めることができる電子機器を得るものである。
【課題を解決するための手段】
【０００５】
本発明の一つの形態に係る電子機器は、ケーブルを有したキーボードが載置されるキーボード載置部を有する筐体と、筐体の内部に収容された回路基板と、キーボード載置部の一部をなすとともにケーブルを回路基板に電気的接続するためにケーブルが挿通される開口部が設けられた底壁と、底壁とキーボードとの間に配置されて開口部を上方から覆いかつケーブルが挿通されるケーブル挿通部を有するシートと、を具備したことを特徴とする。
【０００６】
本発明の他の形態に係る電子機器は、係止部が設けられたキーボードが載置されるキーボード載置部を有する筐体と、キーボード載置部に設けられ、キーボードの係止部が挿入されかつ係止部を係止可能な受け部を有する孔部と、筐体の内部において孔部を塞ぐ止水部と、を具備したことを特徴とする。
【発明の効果】
【０００７】
本発明によれば、筐体の上部にキーボードを有する電子機器において、キーボード等の構造を複雑化させずに防水性を高めることができる電子機器を得ることができる。
【発明を実施するための最良の形態】
【０００８】
以下に本発明の実施の形態を、ポータブルコンピュータに適用した図面に基づいて説明する。  
図１は、電子機器の一例としてのポータブルコンピュータ１を示している。このポータブルコンピュータ１は、本体ユニット２と、表示ユニット３を備えている。
【０００９】
本体ユニット２は、偏平な箱状の筐体１０を有している。図１に示されるように筐体１０は、筐体１０の略下半部を構成する下ケース１１と、筐体１０の略上半部を構成する上ケース１２などによって構成されている。筐体１０の内部に、このポータブルコンピュータ１の制御等をつかさどる電子部品等が実装されたシステム基板等の回路基板１３（図２と図３に示す）が内蔵されている。
【００１０】
筐体１０の一部をなす上ケース１２は底壁１５（図２に示す）を有している。底壁１５は、キーボード載置部１６の一部をなしている。この底壁１５は、底壁１５の上面前部が後部上面よりも低くなるように僅かに傾斜した形状をなしている。すなわちこの底壁１５は、筐体１０を水平面上に載置した状態において、僅かに前下がりに傾斜した形状をなしている。底壁１５を含む上ケース１２は、例えばマグネシウム合金等の軽金属からなり、導電性を有している。
【００１１】
本体ユニット２の前部に、上ケース１２の一部によって構成されるパームレスト部２０と、タッチパッド等の入力装置２１が設けられている。本体ユニット２の後部に、電源としてのバッテリー（図示せず）を収納するバッテリー収納部２３が形成されている。本体ユニット２の後部に、スピーカ２４，２５等の電子部品が実装されている。
【００１２】
本体ユニット２の上面に、図４に示すキーボード３０が取付けられている。このキーボード３０は防滴もしくは防水タイプであり、後述するケーブル４８を有している。キーボード３０は、上ケース１２に形成されたキーボード載置部１６に載置される。
【００１３】
図２，図３，図６，図８に示されるように、上ケース１２の前部の幅方向複数箇所に、キーボード取付用の孔部３１が形成されている。キーボード３０の前端には、これらの孔部３１と対応する位置に、係止部として機能する凸部３２（図１と図４と図６に示す）が形成されている。凸部３２は、キーボード３０の幅方向に所定間隔で複数箇所に形成されている。
【００１４】
図６に示すように、各凸部３２をそれぞれの凸部３２に対応する孔部３１に挿入することによって、キーボード３０の前端が筐体１０に支持される。孔部３１の上部に、凸部３２の上面を係止可能な受け部３３（図３と図６に示す）が形成されている。受け部３３は、上ケース１２の一部を下向きに突出させたものである。キーボード３０は、基板３５と、キートップ３６などを備えている。前記凸部３２は基板３５の前端に形成されている。
【００１５】
図４に示すようにキーボード３０の後端に、左右一対の取付部４０が形成されている。上ケース１２には、これら取付部４０と対応した位置に、キーボード支持部４１が形成されている。キーボード３０の後端に設けられた取付部４０は、ねじ部材等の固定部材４２によって、キーボード支持部４１に固定される。
【００１６】
前記したように上ケース１２の底壁１５は前下がりに僅かに傾斜しているため、底壁１５に載置されるキーボード３０は、前部が後部よりもやや低くなる。この僅かな前下がりの傾斜は、キーボード３０の操作性を良くする。またこの傾斜により、キーボード３０上に水などの液が落ちたときに、液が底壁１５の前端に向かって流れることができる。
【００１７】
図２と図３に示すように、底壁１５の複数箇所に、上面側に開口する開口部４５，４６が形成されている。これらの開口部４５，４６は、回路基板１３の一部を露出させている。これら開口部４５，４６のうち、図２において底壁１５の左前部に位置する開口部４５は、回路基板１３のうちキーボード３０との電気的接続をなす回路部品（例えばコネクタ４７）を露出させている。コネクタ４７にはフラットケーブル等のケーブル４８（図５に示す）が接続される。このケーブル４８は、回路基板１３とキーボード３０との電気的接続をなすためのものである。
【００１８】
底壁１５とキーボード３０との間に、水を通さない素材からなる防水シートとして機能するシート５０（図５に示す）が配置される。このシート５０は、底壁１５の開口部４５，４６を上方から覆うことができるように、上面側から見てキーボード３０の面積よりも広い面積を有している。このシート５０には、前記ケーブル４８を通すためのケーブル挿通部５１が形成されている。
【００１９】
ケーブル挿通部５１は、フラットケーブル等のケーブル４８（図５に示す）を通すことのできるスリットである。ケーブル挿通部５１を囲むようにして、吸水性の材料からなる吸水部材５２が設けられている。
【００２０】
シート５０の縁部に、このシート５０の一部を上方に折曲げてなる立上がり壁５３が形成されている。この立上がり壁５３によって、シート５０上の液がシート５０の縁部から外側にこぼれることを防止できる。また、底壁１５が前下がりに傾斜していることと、シート５０の両側に立上がり壁５３が形成されていることにより、シート５０上に落ちた液をシート５０の前端に向けて流すことができる。
【００２１】
なお、シート５０の縁部に、吸水性の材料からなる吸水部材５４（図５に一部を示す）を設けることにより、シート５０の縁部に達した液を吸収できるようにしてもよい。
【００２２】
図３，図６，図８に示すように、上ケース１２の底壁１５と回路基板１３との間に、電気絶縁性材料からなるシート状のインシュレータ５５が配置されている。インシュレータ５５は、開口部４５，４６を除き、回路基板１３の上面全体を覆うことができる面積を有している。このインシュレータ５５によって、導電性の底壁１５と回路基板１３とが接触することによる電気的な短絡が防止される。インシュレータ５５の上面は両面接着テープ５６によって底壁１５の下面に固定されている。
【００２３】
インシュレータ５５の前縁を前方に延出させることにより、止水部５７が形成されている。この止水部５７は、筐体１０の内部において、底壁１５の孔部３１の下部を塞ぐ機能を担っている。止水部５７の上面は、前記接着テープ５６によって、孔部３１の下壁３１ａの縁部に接着され、孔部３１の内側に入った液が下方に漏れないようにしている。
【００２４】
孔部３１の下壁３１ａは、受け部３３を成形する際に使用する金型の一部を上下方向に抜くことができるようにするために、不可避的に開口している必要がある。このような理由によって開口している下壁３１ａの下端開口を、インシュレータ５５の一部である止水部５７によって塞いでいるのである。
【００２５】
止水部５７に設けられている両面接着テープ５６は、孔部３１の下壁３１ａと止水部５７との間をシールするシール材として機能する。止水部５７によって孔部３１の下壁３１ａが塞がれることにより、上方が開口する袋状断面の液貯め部５８が形成される。
【００２６】
なお、シート５０の前端は、シート５０上の液が孔部３１に流れ込むことを妨げないような形状としている。例えばシート５０の一部（孔部３１に相当する位置）に開口を設けるとか、切欠きを設けるとよい。
【００２７】
図３，図７，図９に示すように、底壁１５の前端部の一部に凹部５９が形成され、この凹部５９に、タッチパッド等の入力装置２１の下部２１ａが入るようになっている。シート５０上の液は、底壁１５の後部から前部に向かって流れるため、液の一部をこの凹部５９に導くことができる。すなわちこの凹部５９を液貯め部として利用することもできる。
【００２８】
図１に示すように本体ユニット２の後部の上面側にカバー部材６０が設けられている。カバー部材６０は、第１のカバー６１と第２のカバー６２によって構成されている。第１のカバー６１は、主部６５と放音部６６とを含んでいる。主部６５は、本体ユニット２の幅方向に沿う細長い形状をなし、バッテリー収納部２３を覆うことのできる長さを有している。このカバー部材６０によって、前記キーボード支持部４１が覆われる。
【００２９】
図２に示すように、上ケース１２に複数の嵌合部７２が形成されている。第１のカバー６１には、これらの嵌合部７２と対応する位置に、スライド式の係止部（図示せず）が設けられている。これらの係止部は、第１のカバー６１を水平方向にスライドさせたときに、嵌合部７２に係合する形状となっている。
【００３０】
第２のカバー６２の裏面には嵌込み式の係止部（図示せず）が形成されている。第２のカバー６２の係止部は、上ケース１２に形成された受け部７３に嵌込むことのできる形状である。これら第１および第２のカバー６１，６２によって構成されるカバー部材６０は、筐体１０に対して着脱可能である。
【００３１】
表示ユニット３は、偏平な箱状のケース１００と、ケース１００に設けられた液晶表示パネル１０１と、ケース１００の内部に収容されたバックライト（図示せず）などを備えている。この表示ユニット３は、本体ユニット２の後端側に設けたヒンジ部１０２によって、本体ユニット２に対し上下方向に開閉可能に取付けられている。
【００３２】
すなわちこの表示ユニット３は、本体ユニット２に対して、閉じ位置と開き位置との間で回動可能である。表示ユニット３を閉じると、液晶表示パネル１０１の画像表示面が下を向いた姿勢で本体ユニット２の上に重なり、本体ユニット２の上面が表示ユニット３によって上方から覆い隠される。
【００３３】
以下に、本実施形態のポータブルコンピュータ１の作用について説明する。
【００３４】
キーボード３０上に誤って水等の液をこぼしたとする。キーボード３０は、前部が後部よりも低くなるように傾斜しているため、キーボード３０上に落ちた液は、防水シートとして機能するシート５０の上面を伝って前方に流れる。そして液の一部は孔部３１から液貯め部５８に入る。液の一部は凹部５９に入ることもある。また、液の一部は吸水部材５２によって吸収されることもある。このシート５０によって、底壁１５の開口部４５，４６が覆われているため、回路基板１３に液が進入することを防止できる。
【００３５】
キーボード３０上に水等の液がこぼれた場合、このポータブルコンピュータ１を水平状態に保ったまま、電源を切る。そしてカバー部材６０を筐体１０から取外す。キーボード３０の後端の取付部４０から固定部材４２を外したのち、キーボード３０の前端の凸部３２を孔部３１から外すことにより、キーボード３０を底壁１５から取外す。
【００３６】
図８と図９は、キーボード３０を外した状態を示している。この状態で、底壁１５の前部や凹部５９に溜まった液を除去する。さらに、孔部３１から液貯め部５８に流れこんだ液も除去する。こうすることにより、本体ユニット２をドライな状態に回復することができる。
【００３７】
本実施形態によれば、防水シートとして機能するシート５０とキーボード取付用の孔部３１を利用した防水手段を備えたことにより、筐体１０やキーボード３０自体の構造を複雑化させることなく、キーボード３０上にこぼれた液が回路基板１３に達することを防止できる。また、インシュレータ５５の前端の一部を延出させてなる止水部５７によって、孔部３１の下壁３１ａの下端開口を塞いで水貯め部５８を形成しているため、回路基板１３を覆うインシュレータ５５の一部を有効に利用することができる。
【００３８】
なお、本発明に係る電子機器は、ポータブルコンピュータに限らず、要するに、キーボードを備え、筐体の内部に回路基板を有する電子機器であれば、同様に適用することができる。
【図面の簡単な説明】
【００３９】
【図１】本発明の実施の形態に係るポータブルコンピュータの斜視図。
【図２】図１に示されたポータブルコンピュータの本体ユニットを、キーボードとカバー部材を取外した状態で示す平面図。
【図３】図１に示されたポータブルコンピュータの筐体の一部を示す斜視図。
【図４】図１に示されたポータブルコンピュータのキーボードを示す斜視図。
【図５】図１に示されたポータブルコンピュータのシートを示す斜視図。
【図６】図１中のＦ６−Ｆ６線に沿う部位の断面図。
【図７】図１中のＦ７−Ｆ７線に沿う部位の断面図。
【図８】図２中のＦ８−Ｆ８線に沿う部位の断面図。
【図９】図２中のＦ９−Ｆ９線に沿う部位の断面図。
【符号の説明】
【００４０】
１…ポータブルコンピュータ（電子機器）、２…本体ユニット、１０…筐体、１３…回路基板、１５…底壁、３０…キーボード、３１…孔部、３２…凸部、３３…受け部、４５…開口部、４７…コネクタ（回路部品）、４８…ケーブル、５０…シート、５１…ケーブル挿通部、５２…吸水部材、５３…立上がり壁、５５…インシュレータ、５６…両面接着テープ、５７…止水部、５８…液貯め部。
【図１】
2006099550.tif 000003
【図２】
2006099550.tif 000004
【図３】
2006099550.tif 000005
【図４】
2006099550.tif 000006
【図５】
2006099550.tif 000007
【図６】
2006099550.tif 000008
【図７】
2006099550.tif 000009
【図８】
2006099550.tif 000010
【図９】
2006099550.tif 000011